(57)【要約】【課題】プリペイドチケットを用いたコンテンツの視聴制御において、プリペイドチケットのセキュリティ条件を満足し、通信負荷を軽減し、オフライン性も備える。【解決手段】発行するプリペイドチケットの金額情報と、プリペイドチケットの累積使用回数を示すカウンタ情報と、プリペイドチケットを一意に特定可能なシリアル情報に対する署名情報と、に基づくプリペイドチケットを携帯端末に対して発行する。【選択図】図３
2008176736.tif 000002
【特許請求の範囲】
【請求項１】
携帯端末にライセンス情報をプリペイドチケットとして委譲し、提供されるサービスの対価として該プリペイドチケットを使用可能なサービス配信システムであって、
前記ライセンス情報を発行し管理するライセンス情報管理手段と、
発行するプリペイドチケットの金額情報と、プリペイドチケットの累積使用回数を示すカウンタ情報と、プリペイドチケットを一意に特定可能なシリアル情報に対する署名情報と、に基づくプリペイドチケットを前記携帯端末に対して発行するプリペイドチケット発行手段と、
前記発行されたプリペイドチケットを格納した前記携帯端末からプリペイドチケットを受信して、受信したプリペイドチケット内の前記署名情報を検証するとともに、該受信したプリペイドチケットの前記金額情報と提供されるサービスの利用料金情報とからプリペイドチケットの残額を表す金額情報を計算し、前記受信したプリペイドチケットの前記カウンタ情報に所定の演算を行い、前記残額の金額情報と前記演算後のカウンタ情報とに基づいてプリペイドチケットを更新して前記携帯端末に再度発行するプリペイドチケット処理手段と、
前記プリペイドチケット処理手段によってプリペイドチケット内の前記署名情報が正当であると検証された場合に、前記サービスを提供するサービス提供手段と、
を含むことを特徴とするサービス配信システム。
【請求項２】
前記プリペイドチケット処理手段は、前記受信したプリペイドチケットのシリアル情報と該プリペイドチケットのカウンタ情報とを組にして蓄積し、
前記ライセンス情報管理手段は、前記プリペイドチケット処理手段に蓄積されたシリアル情報とカウンタ情報の組を回収してシリアル情報毎にカウンタ情報の履歴を作成・更新し、該履歴に基づいてプリペイドチケットの使用の正当性を判定する
ことを特徴とする請求項１に記載のサービス配信システム。
【請求項３】
前記プリペイドチケット処理手段は、プリペイドチケットの使用によって提供されるサービスの前記利用料金情報に相当するプリペイドチケットの使用金額情報を蓄積し、
前記ライセンス情報管理手段は、該プリペイドチケットの使用が正当であると判定されたものについて前記蓄積されたプリペイドチケットの使用金額情報を集計する
ことを特徴とする請求項２に記載のサービス配信システム。
【請求項４】
前記プリペイドチケット発行手段は、前記シリアル情報をブラインド化処理した上で前記ライセンス情報管理手段へ送信し、
前記ライセンス情報管理手段は、前記ブラインド化されたシリアル情報の署名を作成して前記プリペイドチケット発行手段へ送信する
ことを特徴とする請求項１から請求項３のいずれかの項に記載のサービス配信システム。
【請求項５】
前記プリペイドチケットに含まれる金額情報は前記ライセンス情報管理手段による署名が施されていない情報であることを特徴とする請求項１から請求項４のいずれかの項に記載のサービス配信システム。
【請求項６】
前記プリペイドチケット処理手段は、前記携帯端末からサービスの対価として必要となる１または複数のプリペイドチケットを受信して、受信したプリペイドチケットの金額情報と提供されるサービスの利用料金情報とからプリペイドチケットの残額を表す金額情報を計算することを特徴とする請求項１から請求項５のいずれかの項に記載のサービス配信システム。
【請求項７】
携帯端末にライセンス情報をプリペイドチケットとして委譲し、提供されるサービスの対価として該プリペイドチケットを使用可能なサービス配信システムにおけるプリペイドチケット発行方法であって、
発行するプリペイドチケットの金額情報と、プリペイドチケットの累積使用回数を示すカウンタ情報と、プリペイドチケットを一意に特定可能なシリアル情報に対する署名情報と、に基づくプリペイドチケットを発行する
ことを特徴とするプリペイドチケット発行方法。
【請求項８】
携帯端末にライセンス情報をプリペイドチケットとして委譲し、提供されるサービスの対価として該プリペイドチケットを使用可能なサービス配信システムにおけるプリペイドチケット利用方法であって、
プリペイドチケットの金額情報と、プリペイドチケットの累積使用回数を示すカウンタ情報と、プリペイドチケットを一意に特定可能なシリアル情報に対する署名情報と、に基づいて発行されたプリペイドチケットを格納した前記携帯端末から該プリペイドチケットを受信し、
前記受信したプリペイドチケットの前記金額情報と提供されるサービスの利用料金情報とからプリペイドチケットの残額を表す金額情報を計算し、前記受信したプリペイドチケットの前記カウンタ情報に所定の演算を行い、前記残額の金額情報と前記演算後のカウンタ情報とに基づいてプリペイドチケットを更新して前記携帯端末に再度発行し、
前記受信したプリペイドチケット内の前記署名情報を検証して、該署名情報が正当であると検証された場合に、サービス提供手段に前記サービスを提供させる
ことを特徴とするプリペイドチケット利用方法。
【請求項９】
前記携帯端末からサービスの対価として必要となる１または複数のプリペイドチケットを受信して、受信したプリペイドチケットの金額情報と提供されるサービスの利用料金情報とからプリペイドチケットの残額を表す金額情報を計算することを特徴とする請求項８に記載のプリペイドチケット利用方法。
【請求項１０】
携帯端末にライセンス情報をプリペイドチケットとして委譲し、提供されるサービスの対価として該プリペイドチケットを使用可能なサービス配信システムにおいて使用されたプリペイドチケットの回収方法であって、
プリペイドチケットの金額情報と、プリペイドチケットの累積使用回数を示すカウンタ情報と、プリペイドチケットを一意に特定可能なシリアル情報に対する署名情報と、に基づき発行され前記携帯端末から送信されたプリペイドチケットの前記シリアル情報と前記カウンタ情報とを組にして蓄積し、
前記プリペイドチケットの使用に対し提供されるサービスの利用料金情報に相当するプリペイドチケットの使用金額情報を蓄積し、
前記蓄積されたシリアル情報とカウンタ情報の組を回収してシリアル情報毎にカウンタ情報の履歴を作成・更新し、該履歴に基づいてプリペイドチケットの使用の正当性を判定し、
プリペイドチケットの使用が正当であると判定されたものについて前記蓄積されたプリペイドチケットの使用金額情報を集計する
ことを特徴とするプリペイドチケット回収方法。
【請求項１１】
ライセンス情報管理装置が発行を許可したライセンス情報をプリペイドチケットとして携帯端末に委譲し、提供されるサービスの対価として該プリペイドチケットを使用可能なサービス配信システムにおいて使用されるＩＣチップであって、
プリペイドチケットを委譲する携帯端末を登録する手段と、
プリペイドチケットを一意に特定可能なシリアル情報を生成する手段と、
前記生成したシリアル情報をブラインド化処理した上で前記ライセンス情報管理装置へ送信する手段と、
前記ライセンス情報管理装置から前記ブラインド化されたシリアル情報の署名を受信して、アンブラインド化処理する手段と、
発行するプリペイドチケットの金額情報と、プリペイドチケットの累積使用回数を示すカウンタ情報と、前記アンブラインド化された署名情報と、に基づくプリペイドチケットを前記登録された携帯端末に対して発行する手段と、
を具備することを特徴とするＩＣチップ。
【請求項１２】
ライセンス情報管理装置が発行を許可したライセンス情報をプリペイドチケットとして携帯端末に委譲し、サービス提供装置から提供されるサービスの対価として該プリペイドチケットを使用可能なサービス配信システムにおいて使用されるＩＣチップであって、
プリペイドチケットの金額情報と、プリペイドチケットの累積使用回数を示すカウンタ情報と、プリペイドチケットを一意に特定可能なシリアル情報に対する署名情報と、に基づいて発行されたプリペイドチケットを格納した前記携帯端末から該プリペイドチケットを受信する手段と、
前記受信したプリペイドチケット内の前記署名情報を検証する手段と、
前記署名情報が正当であると検証された場合に、前記サービス提供装置に前記サービスを提供させる手段と、
前記受信したプリペイドチケットの前記金額情報と前記提供されるサービスの利用料金情報とからプリペイドチケットの残額を表す金額情報を計算し、前記受信したプリペイドチケットの前記カウンタ情報に所定の演算を行い、前記残額の金額情報と前記演算後のカウンタ情報とに基づいてプリペイドチケットを更新して前記携帯端末に再度発行する手段と、
を具備することを特徴とするＩＣチップ。
【請求項１３】
前記受信したプリペイドチケットの前記シリアル情報と前記カウンタ情報とを組にして蓄積する手段と、
前記プリペイドチケットの使用に対し提供されるサービスの利用料金情報に相当するプリペイドチケットの使用金額情報を蓄積する手段と、
前記蓄積されたシリアル情報とカウンタ情報の組、およびサービス提供者情報と利用料金情報に相当するプリペイドチケットの使用金額情報の組を、前記ライセンス情報管理装置からの要求に応じて送信する手段と、
を具備することを特徴とする請求項１２に記載のＩＣチップ。
【請求項１４】
提供されるサービスの対価としてプリペイドチケットを使用可能なサービス配信システムにおいて用いられる携帯端末であって、
請求項１１に記載の第１ＩＣチップに対して固有の識別情報を送信して登録を行う機能と、
前記第１ＩＣチップから認証を受けた場合に送信される、プリペイドチケットの金額情報と、プリペイドチケットの累積使用回数を示すカウンタ情報と、プリペイドチケットを一意に特定可能なシリアル情報に対する署名情報と、に基づいて発行されたプリペイドチケットを受信し格納する機能と、
提供されるサービスの利用料金情報に基づき必要なプリペイドチケットの枚数を判定する機能と、
前記判定された枚数のプリペイドチケットを請求項１２または請求項１３に記載の第２ＩＣチップに対して送信することによりプリペイドチケットを使用する機能と、
前記第２ＩＣチップから送信される、前記金額情報とカウンタ情報が更新されたプリペイドチケットを受信し格納する機能と、
を具備することを特徴とする携帯端末。
【請求項１５】
提供されるサービスの対価としてプリペイドチケットを使用可能なサービス配信システムにおいて用いられる携帯端末のコンピュータに、
請求項１１に記載の第１ＩＣチップに対して固有の識別情報を送信して登録を行う機能と、
前記第１ＩＣチップから認証を受けた場合に送信される、プリペイドチケットの金額情報と、プリペイドチケットの累積使用回数を示すカウンタ情報と、プリペイドチケットを一意に特定可能なシリアル情報に対する署名情報と、に基づいて発行されたプリペイドチケットを受信し格納する機能と、
前記格納されたプリペイドチケットを請求項１２または請求項１３に記載の第２ＩＣチップに対して送信することによりプリペイドチケットを使用する機能と、
前記第２ＩＣチップから送信される、前記金額情報とカウンタ情報が更新されたプリペイドチケットを受信し格納する機能と、
を実現させるためのプログラム。
【発明の詳細な説明】
【技術分野】
【０００１】
本発明は、サービス配信システム、プリペイドチケット発行方法、プリペイドチケット利用方法、プリペイドチケット回収方法、ＩＣチップ、携帯端末、およびプログラムに関する。
【背景技術】
【０００２】
ＢＳ／地上デジタル放送では、限定受信方式（ＣＡＳ；Ｃｏｎｄｉｔｉｏｎａｌ  Ａｃｃｅｓｓ  Ｓｙｓｔｅｍ）を用い、受信機（ＳＴＢ；Ｓｅｔ  Ｔｏｐ  Ｂｏｘ）に装着されたＣＡＳカードと呼ばれるＩＣカード（ＩＣチップ内蔵カード）によってコンテンツの視聴制御を行っている。このＣＡＳカードは、受信した制御データを復号して、鍵を抽出し、ライセンスに関するデータを管理することで、コンテンツを視聴制御する。また、利用者のライセンスデータを記録したＳＴＢを通信サービス事業者が利用者に配給し、そのライセンスに基づいた視聴制御を行うサービスも提供されている。また、通信事業者において、利用者のライセンスに関するデータを記録したＩＣチップを内蔵したＳＴＢを用いて、通信回線を介し映像コンテンツを配信する映像配信サービスが開始されている。このサービスでは、ＳＴＢに内蔵されたＩＣチップにより、ＣＡＳと同様な視聴制御を可能としている。
【０００３】
ここで、利用者が外出先など自宅以外の場所でＣＡＳやＩＣチップ内蔵ＳＴＢによるコンテンツ視聴サービスを利用する場合には、ＣＡＳカードやＳＴＢを自宅から持ち出す必要があるが、そうしてしまうと自宅にいる家族等がコンテンツを視聴できなくなってしまうという問題がある。これを解決する技術として、例えば、予め電子プリペイド方式によって課金を行い、外出先で携帯電話機等によってコンテンツ視聴サービスを利用するようにしたものが提案されている（例えば、特許文献１参照）。
【特許文献１】特開２００３−８７８７号公報
【発明の開示】
【発明が解決しようとする課題】
【０００４】
ところで、上記のように電子プリペイド方式を用いてコンテンツ視聴をする場合、ライセンスの制御やサービスの課金のためのプリペイドチケットを利用することになるが、このプリペイドチケットに要求されるセキュリティ条件として、次のようなものがあると考えられる。
【０００５】
発行・課金正当性：  ライセンスデータを発行するライセンス発行管理機関、およびＣＡＳカードやＳＴＢ内蔵ＩＣチップの管理の下で、プリペイドチケットの発行を確実に行うこと。また、外出先でサービスを利用する利用者に対して、ＣＡＳカードやＳＴＢ内蔵ＩＣチップの管理下で課金を確実に行うこと。
【０００６】
偽造不能性：  利用者や第三者が、ライセンス発行管理機関を介することなくプリペイドチケットの生成、残額の改変等を行うことが不可能であること。
【０００７】
盗聴不能性：  盗聴者が通信経路上の情報を盗聴し入手した場合でもその解読が不可能であり、プリペイドチケットとして使用することが不可能であること。
【０００８】
過剰利用不能性：  正当に発行されたプリペイドチケットを持つ利用者が、そのプリペイドチケットを複製して２回以上利用することが不可能であること。
【０００９】
匿名性：  プリペイドチケットの使用履歴から利用者の個人情報が特定されないこと。
【００１０】
分割利用可能性：  利用者が正当にプリペイドチケットで支払いを行う限りにおいて、任意の金額に分割しての支払いが可能であること。また、利用者がプリペイドチケットを複数枚保有して複数枚で支払うことができること。
【００１１】
近年では、特に、プライバシーを意識する利用者が多くなり、利用者にとって、利用者を特定する情報と視聴内容や視聴場所等の情報とを結び付ける個人情報がコンテンツ提供者あるいは調査機関などの第三者に把握されることのないようにすることが、重要になっている。
【００１２】
また、プリペイドチケットによる支払い時にライセンス発行管理機関との通信が集中する可能性が考えられ、ライセンス発行管理機関における処理負荷が増大することが懸念される。
【００１３】
さらに、発行したプリペイドチケットを支払いに使用する際に、ライセンス発行管理機関と通信することなく、残額に対応したプリペイドチケットを再発行することが可能なオフライン性も求められる。
【００１４】
本発明は上記の点に鑑みてなされたものであり、その目的は、要求されるセキュリティ条件を満足するプリペイドチケットを用いてコンテンツの視聴制御を行うことができるとともに、通信負荷を軽減でき、オフライン性も備えたサービス配信システム、プリペイドチケット発行方法、プリペイドチケット利用方法、プリペイドチケット回収方法、ＩＣチップ、携帯端末、およびプログラムを提供することにある。
【課題を解決するための手段】
【００１５】
本発明は上記の課題を解決するためになされたものであり、携帯端末にライセンス情報をプリペイドチケットとして委譲し、提供されるサービスの対価として該プリペイドチケットを使用可能なサービス配信システムであって、前記ライセンス情報を発行し管理するライセンス情報管理手段と、発行するプリペイドチケットの金額情報と、プリペイドチケットの累積使用回数を示すカウンタ情報と、プリペイドチケットを一意に特定可能なシリアル情報に対する署名情報と、に基づくプリペイドチケットを前記携帯端末に対して発行するプリペイドチケット発行手段と、前記発行されたプリペイドチケットを格納した前記携帯端末からプリペイドチケットを受信して、受信したプリペイドチケット内の前記署名情報を検証するとともに、該受信したプリペイドチケットの前記金額情報と提供されるサービスの利用料金情報とからプリペイドチケットの残額を表す金額情報を計算し、前記受信したプリペイドチケットの前記カウンタ情報に所定の演算を行い、前記残額の金額情報と前記演算後のカウンタ情報とに基づいてプリペイドチケットを更新して前記携帯端末に再度発行するプリペイドチケット処理手段と、前記プリペイドチケット処理手段によってプリペイドチケット内の前記署名情報が正当であると検証された場合に、前記サービスを提供するサービス提供手段と、を含むことを特徴とする。
【００１６】
また、上記サービス配信システムにおいて、前記プリペイドチケット処理手段は、前記受信したプリペイドチケットのシリアル情報と該プリペイドチケットのカウンタ情報とを組にして蓄積し、前記ライセンス情報管理手段は、前記プリペイドチケット処理手段に蓄積されたシリアル情報とカウンタ情報の組を回収してシリアル情報毎にカウンタ情報の履歴を作成・更新し、該履歴に基づいてプリペイドチケットの使用の正当性を判定することを特徴とする。
【００１７】
また、上記サービス配信システムにおいて、前記プリペイドチケット処理手段は、プリペイドチケットの使用によって提供されるサービスの前記利用料金情報に相当するプリペイドチケットの使用金額情報を蓄積し、前記ライセンス情報管理手段は、該プリペイドチケットの使用が正当であると判定されたものについて前記蓄積されたプリペイドチケットの使用金額情報を集計することを特徴とする。
【００１８】
また、上記サービス配信システムにおいて、前記プリペイドチケット発行手段は、前記シリアル情報をブラインド化処理した上で前記ライセンス情報管理手段へ送信し、前記ライセンス情報管理手段は、前記ブラインド化されたシリアル情報の署名を作成して前記プリペイドチケット発行手段へ送信することを特徴とする。
【００１９】
また、上記サービス配信システムにおいて、前記プリペイドチケットに含まれる金額情報は前記ライセンス情報管理手段による署名が施されていない情報であることを特徴とする。
【００２０】
また、上記サービス配信システムにおいて、前記プリペイドチケット処理手段は、前記携帯端末からサービスの対価として必要となる１または複数のプリペイドチケットを受信して、受信したプリペイドチケットの金額情報と提供されるサービスの利用料金情報とからプリペイドチケットの残額を表す金額情報を計算することを特徴とする。
【００２１】
また、携帯端末にライセンス情報をプリペイドチケットとして委譲し、提供されるサービスの対価として該プリペイドチケットを使用可能なサービス配信システムにおけるプリペイドチケット発行方法であって、発行するプリペイドチケットの金額情報と、プリペイドチケットの累積使用回数を示すカウンタ情報と、プリペイドチケットを一意に特定可能なシリアル情報に対する署名情報と、に基づくプリペイドチケットを発行することを特徴とする。
【００２２】
また、携帯端末にライセンス情報をプリペイドチケットとして委譲し、提供されるサービスの対価として該プリペイドチケットを使用可能なサービス配信システムにおけるプリペイドチケット利用方法であって、プリペイドチケットの金額情報と、プリペイドチケットの累積使用回数を示すカウンタ情報と、プリペイドチケットを一意に特定可能なシリアル情報に対する署名情報と、に基づいて発行されたプリペイドチケットを格納した前記携帯端末から該プリペイドチケットを受信し、前記受信したプリペイドチケットの前記金額情報と提供されるサービスの利用料金情報とからプリペイドチケットの残額を表す金額情報を計算し、前記受信したプリペイドチケットの前記カウンタ情報に所定の演算を行い、前記残額の金額情報と前記演算後のカウンタ情報とに基づいてプリペイドチケットを更新して前記携帯端末に再度発行し、前記受信したプリペイドチケット内の前記署名情報を検証して、該署名情報が正当であると検証された場合に、サービス提供手段に前記サービスを提供させることを特徴とする。
また、上記プリペイドチケット利用方法において、前記携帯端末からサービスの対価として必要となる１または複数のプリペイドチケットを受信して、受信したプリペイドチケットの金額情報と提供されるサービスの利用料金情報とからプリペイドチケットの残額を表す金額情報を計算することを特徴とする。
【００２３】
また、携帯端末にライセンス情報をプリペイドチケットとして委譲し、提供されるサービスの対価として該プリペイドチケットを使用可能なサービス配信システムにおいて使用されたプリペイドチケットの回収方法であって、プリペイドチケットの金額情報と、プリペイドチケットの累積使用回数を示すカウンタ情報と、プリペイドチケットを一意に特定可能なシリアル情報に対する署名情報と、に基づき発行され前記携帯端末から送信されたプリペイドチケットの前記シリアル情報と前記カウンタ情報とを組にして蓄積し、前記プリペイドチケットの使用に対し提供されるサービスの利用料金情報に相当するプリペイドチケットの使用金額情報を蓄積し、前記蓄積されたシリアル情報とカウンタ情報の組を回収してシリアル情報毎にカウンタ情報の履歴を作成・更新し、該履歴に基づいてプリペイドチケットの使用の正当性を判定し、プリペイドチケットの使用が正当であると判定されたものについて前記蓄積されたプリペイドチケットの使用金額情報を集計することを特徴とする。
【００２４】
また、ライセンス情報管理装置が発行を許可したライセンス情報をプリペイドチケットとして携帯端末に委譲し、提供されるサービスの対価として該プリペイドチケットを使用可能なサービス配信システムにおいて使用されるＩＣチップであって、プリペイドチケットを委譲する携帯端末を登録する手段と、プリペイドチケットを一意に特定可能なシリアル情報を生成する手段と、前記生成したシリアル情報をブラインド化処理した上で前記ライセンス情報管理装置へ送信する手段と、前記ライセンス情報管理装置から前記ブラインド化されたシリアル情報の署名を受信して、アンブラインド化処理する手段と、発行するプリペイドチケットの金額情報と、プリペイドチケットの累積使用回数を示すカウンタ情報と、前記アンブラインド化された署名情報と、に基づくプリペイドチケットを前記登録された携帯端末に対して発行する手段と、を具備することを特徴とする。
【００２５】
また、ライセンス情報管理装置が発行を許可したライセンス情報をプリペイドチケットとして携帯端末に委譲し、サービス提供装置から提供されるサービスの対価として該プリペイドチケットを使用可能なサービス配信システムにおいて使用されるＩＣチップであって、プリペイドチケットの金額情報と、プリペイドチケットの累積使用回数を示すカウンタ情報と、プリペイドチケットを一意に特定可能なシリアル情報に対する署名情報と、に基づいて発行されたプリペイドチケットを格納した前記携帯端末から該プリペイドチケットを受信する手段と、前記受信したプリペイドチケット内の前記署名情報を検証する手段と、前記署名情報が正当であると検証された場合に、前記サービス提供装置に前記サービスを提供させる手段と、前記受信したプリペイドチケットの前記金額情報と前記提供されるサービスの利用料金情報とからプリペイドチケットの残額を表す金額情報を計算し、前記受信したプリペイドチケットの前記カウンタ情報に所定の演算を行い、前記残額の金額情報と前記演算後のカウンタ情報とに基づいてプリペイドチケットを更新して前記携帯端末に再度発行する手段と、を具備することを特徴とする。
【００２６】
また、上記ＩＣチップにおいて、前記受信したプリペイドチケットの前記シリアル情報と前記カウンタ情報とを組にして蓄積する手段と、前記プリペイドチケットの使用に対し提供されるサービスの利用料金情報に相当するプリペイドチケットの使用金額情報を蓄積する手段と、前記蓄積されたシリアル情報とカウンタ情報の組、およびサービス提供者情報と利用料金情報に相当するプリペイドチケットの使用金額情報の組を、前記ライセンス情報管理装置からの要求に応じて送信する手段と、を具備することを特徴とする。
【００２７】
また、提供されるサービスの対価としてプリペイドチケットを使用可能なサービス配信システムにおいて用いられる携帯端末であって、第１ＩＣチップに対して固有の識別情報を送信して登録を行う機能と、前記第１ＩＣチップから認証を受けた場合に送信される、プリペイドチケットの金額情報と、プリペイドチケットの累積使用回数を示すカウンタ情報と、プリペイドチケットを一意に特定可能なシリアル情報に対する署名情報と、に基づいて発行されたプリペイドチケットを受信し格納する機能と、提供されるサービスの利用料金情報に基づき必要なプリペイドチケットの枚数を判定する機能と、前記判定された枚数のプリペイドチケットを第２ＩＣチップに対して送信することによりプリペイドチケットを使用する機能と、前記第２ＩＣチップから送信される、前記金額情報とカウンタ情報が更新されたプリペイドチケットを受信し格納する機能と、を具備することを特徴とする。
【００２８】
また、提供されるサービスの対価としてプリペイドチケットを使用可能なサービス配信システムにおいて用いられる携帯端末のコンピュータに、第１ＩＣチップに対して固有の識別情報を送信して登録を行う機能と、前記第１ＩＣチップから認証を受けた場合に送信される、プリペイドチケットの金額情報と、プリペイドチケットの累積使用回数を示すカウンタ情報と、プリペイドチケットを一意に特定可能なシリアル情報に対する署名情報と、に基づいて発行されたプリペイドチケットを受信し格納する機能と、前記格納されたプリペイドチケットを第２ＩＣチップに対して送信することによりプリペイドチケットを使用する機能と、前記第２ＩＣチップから送信される、前記金額情報とカウンタ情報が更新されたプリペイドチケットを受信し格納する機能と、を実現させるためのプログラムを提供する。
【発明の効果】
【００２９】
本発明によれば、上述したセキュリティ条件を満足するプリペイドチケットを用いてコンテンツの視聴制御を行うことができるとともに、通信負荷を軽減でき、またプリペイドチケットの利用においてオフライン性が得られる。
【発明を実施するための最良の形態】
【００３０】
以下、図面を参照しながら本発明の実施形態について詳しく説明する。なお、本実施形態では、ＣＡＳの方式を例として説明を行う。
図１は、本発明の一実施形態によるサービス配信システムの構成を示した図である。サービス配信システムは、プリペイドチケットの発行などライセンス管理を行うＣＡＳ管理機関１１と、利用者の自宅の受信機１４に装着されたＣＡＳカード１２と、外出先の受信機１７に装着されたＣＡＳカード１８と、プリペイドチケットを格納して利用者が携帯する携帯電話機等の携帯端末１５とを含んで構成される。
【００３１】
図１において、ＣＡＳ管理機関１１のプリペイドチケット発行管理部１１ａは、利用者に対して予め発行しておいたＣＡＳカード１２の正当性が確認された場合に、プリペイドチケットを生成し、このプリペイドチケットを利用者の自宅の受信機１４に装着されたＣＡＳカード１２に対して発行する許可を与える。
【００３２】
自宅のＣＡＳカード１２は、サービスに利用する携帯端末１５を登録するとともに、登録された携帯端末１５に対して上記ＣＡＳ管理機関１１から発行されたプリペイドチケットを委譲する。委譲されたプリペイドチケットは、携帯端末１５内の信頼できる耐タンパモジュール（ＴＲＭ；Ｔａｍｐｅｒ  Ｒｅｓｉｓｔａｎｔ  Ｍｏｄｕｌｅ）に格納される。
【００３３】
利用者は、外出する際には自宅のＣＡＳカード１２を持ち出すことなく、外出先の受信機１７に装着されたＣＡＳカード１８を利用してコンテンツを視聴する。コンテンツは、サービス提供者１９から外出先の受信機１７へ、放送またはネットワークなどを介して提供される。外出先でのコンテンツ視聴時において、携帯端末１５は、そのプリペイド機能１３を使用して、コンテンツの利用料金を上記ＴＲＭに格納されたプリペイドチケットにより外出先のＣＡＳカード１８に対して支払う。このとき、コンテンツ視聴に必要な利用料金に応じ１または複数のプリペイドチケットで支払いを行うことができる。なおここで、後述するように、プリペイドチケットには利用者を直接特定できる情報は含まれていない。
【００３４】
外出先のＣＡＳカード１８は、携帯端末１５から支払われたプリペイドチケットを蓄積して、一定期間中に支払われたプリペイドチケットをサービス提供者１９毎に集計する。
【００３５】
ＣＡＳ管理機関１１のプリペイドチケット料金回収管理部１１ｂは、ポーリング方式により外出先の各ＣＡＳカード１８からプリペイドチケットを回収し、回収されたプリペイドチケットに基づくコンテンツ利用料金がＣＡＳ管理機関１１の利用料金分配部１１ｃによって各サービス提供者１９へ分配される。なお、この利用料金の分配は、ＣＡＳ管理機関１１においてサービス提供者１９毎に集計されて、既存の金融機関（図示せず）を経由して行われる。
【００３６】
なお、図１において、自宅のＣＡＳカード１２および外出先のＣＡＳカード１８はともに、ＣＰＵ（中央処理装置）および耐タンパモジュールとしてのメモリを有するＩＣチップを備えたＩＣカードであり、自宅の受信機１４および外出先の受信機１７に備えられたＩＣカード読み書き装置によって、データの入出力を行うことができる。
【００３７】
図２は、自宅のＣＡＳカード１２へ携帯端末１５を登録する処理を説明したシーケンス図である。
図２において、まず利用者の操作を受けて、携帯端末１５は登録要求をＣＡＳカード１２へ送信する（ステップＳ１０１）。ＣＡＳカード１２は、この登録要求を受信すると、乱数ｒ０を生成して携帯端末１５へ送信する（ステップＳ１０２）。
【００３８】
次いで携帯端末１５は、公開鍵ｐＫと携帯端末識別子ＩＤａとを含む公開鍵証明書をＣＡＳカード１２に送信する（ステップＳ１０３）。この携帯端末識別子ＩＤａは、電話番号などの携帯端末を識別できる情報である携帯端末識別番号ＩＤｍｔと乱数ｒ０を連接したＩＤｍｔ‖ｒ０をハッシュ化することにより生成したものである。ＣＡＳカード１２は、受信した公開鍵証明書により公開鍵ｐＫを検証するとともに、ワーク鍵Ｋｗを生成して、ワーク鍵Ｋｗと乱数ｒ０を連接したデータＫｗ‖ｒ０を公開鍵ｐＫで暗号化したｐＥＮＣ（Ｋｗ‖ｒ０，ｐＫ）を携帯端末１５へ送信する（ステップＳ１０４）。そして、携帯端末１５はこれを受信して復号することによりワーク鍵Ｋｗを取得する。ここで、記号‖は前後のデータの連接を表し、ｐＥＮＣ（ｍ，ｋ）は公開鍵暗号方式によりメッセージｍを公開鍵ｋで暗号化したデータを表す。
【００３９】
携帯端末１５は、乱数ｒ０を共通鍵暗号方式によりワーク鍵Ｋｗで暗号化し、ｓＥＮＣ（ｒ０，Ｋｗ）をＣＡＳカード１２へ送信する（ステップＳ１０５）。ここで、ｓＥＮＣ（ｍ，ｋ）はメッセージｍを共有鍵ｋで暗号化したデータを表す。
【００４０】
ＣＡＳカード１２は、上記ステップＳ１０５で送信されるデータを受信して、受信した乱数ｒ０を検証し、問題がなければ、受信した携帯端末識別子ＩＤａをワーク鍵Ｋｗと対応付けてＣＡＳカード１２内のデータベース（ＣＡＳ−ＤＢ）に登録する（ステップＳ１０７）。そしてＣＡＳカード１２は、処理完了を示す信号Ａｃｋを携帯端末１５へ送信する（ステップＳ１０６）。携帯端末１５は、上記信号Ａｃｋを受け、ワーク鍵Ｋｗをワーク鍵保存領域に保存する（ステップＳ１０８）。
【００４１】
次に、プリペイドチケットの発行処理について説明する。
図３は、ＣＡＳ管理機関１１がプリペイドチケットを発行して携帯端末１５に当該プリペイドチケットが委譲される処理を示したシーケンス図である。なおここで、ＣＡＳ管理機関１１とＣＡＳカード１２とは予めマスター鍵Ｋｍを共有しているものとする。
【００４２】
図３において、まず利用者の操作を受けて、携帯端末１５はプリペイドチケットの発行要求を自宅のＣＡＳカード１２へ送信する（ステップＳ２０１）。ＣＡＳカード１２は、このプリペイドチケット発行要求を受信すると、乱数ｒ１を生成して携帯端末１５へ送信する（ステップＳ２０２）。
【００４３】
携帯端末１５は、携帯端末識別子ＩＤａおよび乱数ｒ１を連接してＭＡＣ（ＩＤａ‖ｒ１，Ｋｗ）を生成し、携帯端末識別子ＩＤａと生成したＭＡＣ（ＩＤａ‖ｒ１，Ｋｗ）とを連接してＩＤａ‖ＭＡＣ（ＩＤａ‖ｒ１，Ｋｗ）をレスポンスとしてＣＡＳカード１２へ送信する（ステップＳ２０３）。ここで、ＭＡＣ（ｍ，ｋ）は共有鍵ｋによるメッセージｍの鍵付きメッセージ認証コード（ＭＡＣ；Ｍｅｓｓａｇｅ  Ａｕｔｈｅｎｔｉｃａｔｉｏｎ  Ｃｏｄｅ）を表し、特にｍ＝ＡＬＬの場合は、自己を除いた連接されている全てのメッセージを対象としたメッセージ認証コードであることを意味する。
【００４４】
ＣＡＳカード１２は、受信した上記レスポンス内の携帯端末識別子ＩＤａをデータベースＣＡＳ−ＤＢに登録してある携帯端末識別子ＩＤａと照合することにより、携帯端末１５の認証を行う。そして、問題がなければ、ＣＡＳカード１２は、自宅の受信機１４のユーザインタフェースＳＴＢ−ＵＩに対してプリペイドチケットの利用者が希望する発行金額を要求し（ステップＳ２０４）、利用者がユーザインタフェースＳＴＢ−ＵＩに入力した発行金額Ｘ０を取得する（ステップＳ２０５）。
【００４５】
次いでＣＡＳカード１２は、利用者により入力された上記のプリペイドチケット発行金額Ｘ０とＣＡＳカード１２自身の識別情報であるＣＡＳカード識別子ＩＤＬとを連接してマスター鍵Ｋｍで暗号化し、また一意のシリアル情報Ｓ０を生成してそのブラインド署名ＢＬ（Ｓ０）を生成する。そして、ＣＡＳカード１２は、この暗号化したデータｓＥＮＣ（Ｘ０‖ＩＤＬ，Ｋｍ）とブラインド署名ＢＬ（Ｓ０）とを連接し、ＭＡＣ（ＡＬＬ，Ｋｍ）を付してＣＡＳ管理機関１１へ送信する（ステップＳ２０６）。
【００４６】
ＣＡＳ管理機関１１は、上記データを受信し、マスター鍵Ｋｍを用いて当該受信したデータのＭＡＣを検証する。そして、問題がなければＣＡＳカード識別子ＩＤＬに従って支払い処理を実行する。さらに、ＣＡＳ管理機関１１は、受信したブラインド署名ＢＬ（Ｓ０）に対して署名を施し、この署名したデータＳＩＧＬ（ＢＬ（Ｓ０））をマスター鍵Ｋｍで暗号化してｓＥＮＣ（ＳＩＧＬ（ＢＬ（Ｓ０）），Ｋｍ）‖ＭＡＣ（ＡＬＬ，Ｋｍ）をＣＡＳカード１２へ送信する（ステップＳ２０７）。
【００４７】
ＣＡＳカード１２は、マスター鍵Ｋｍを用いてこのデータのＭＡＣを検証し、さらに署名データＳＩＧＬ（ＢＬ（Ｓ０））をアンブラインド化して署名を検証する。ＣＡＳカード１２はまた、乱数ｒｃ０を生成し、利用履歴カウンタＴ０およびプリペイドチケットの残高データＺ０を設定する。利用履歴カウンタは、プリペイドチケットが使用される度に値が１ずつ増加していく変数であり、プリペイドチケットが正当に使用されているか否かを検証するためのものである。残高データは、ここでは初期値として上記の発行金額Ｘ０が代入されている。
【００４８】
ＣＡＳカード１２は、乱数ｒｃ０と、利用履歴カウンタＴ０と、残高データＺ０と、シリアル情報Ｓ０と、シリアル情報Ｓ０に対する署名ＳＩＧＬ（Ｓ０）と、これらのデータに対するＭＡＣと、を連接し、連接したデータをワーク鍵Ｋｗで暗号化して、ｓＥＮＣ（ｒｃ０‖Ｔ０‖Ｚ０‖Ｓ０‖ＳＩＧＬ（Ｓ０）‖ＭＡＣ（ｒｃ０‖Ｔ０‖Ｚ０‖Ｓ０‖ＳＩＧＬ（Ｓ０），Ｋｍ），Ｋｗ）‖ＭＡＣ（ＡＬＬ，Ｋｗ）を携帯端末１５へ送信する（ステップＳ２０８）。
【００４９】
携帯端末１５は、上記データを受信してワーク鍵Ｋｗを用いてＭＡＣを検証し、問題がなければ、データを復号化してｒｃ０‖Ｔ０‖Ｚ０‖Ｓ０‖ＳＩＧＬ（Ｓ０）‖ＭＡＣ（ｒｃ０‖Ｔ０‖Ｚ０‖Ｓ０‖ＳＩＧＬ（Ｓ０），Ｋｍ）をプリペイドチケットとして耐タンパモジュールに格納する（ステップＳ２０９）。
以上の処理を繰り返すことで、携帯端末１５は複数のプリペイドチケットを格納しておくことができる。
【００５０】
次に、プリペイドチケットを利用する際の処理について説明する。
図４は、携帯端末１５が外出先のＣＡＳカード１８に対してプリペイドチケットによる支払いを行う処理を示したシーケンス図である。なお、外出先のＣＡＳカード１８も予めマスター鍵Ｋｍを有しているものとする。
【００５１】
図４において、まず携帯端末１５は、プリペイドチケットの利用要求を外出先のＣＡＳカード１８へ送信する（ステップＳ３０１）。ＣＡＳカード１８は、乱数ｒ３を生成して携帯端末１５へ送信する（ステップＳ３０２）。携帯端末１５は、一時公開鍵ｐＫｔ（外出先で一時的に利用するための公開鍵）を含む公開鍵証明書をＣＡＳカード１８へ送信する（ステップＳ３０３）。ＣＡＳカード１８は、一時ワーク鍵Ｋｗｔ（携帯端末１５が外出先でプリペイドチケットを利用するための一時的なワーク鍵）を生成し、この一時ワーク鍵Ｋｗｔを携帯端末１５から受信した上記の一時公開鍵ｐＫｔで暗号化してｐＥＮＣ（Ｋｗｔ，ｐＫｔ）を携帯端末１５へ送信する（ステップＳ３０４）。携帯端末１５は、ステップＳ３０２で受信した乱数ｒ３を一時ワーク鍵Ｋｗｔで暗号化してｓＥＮＣ（ｒ３，Ｋｗｔ）をＣＡＳカード１８へ送信する（ステップＳ３０５）。ＣＡＳカード１８は、このデータを受信し、復号して乱数ｒ３を確認する。
【００５２】
利用者が外出先の受信機１７のユーザインタフェースＳＴＢ−ＵＩにより視聴するコンテンツを選択すると、ＣＡＳカード１８は、利用者が選択したコンテンツに基づいて当該コンテンツの利用料金データＹを取得して、取得した利用料金データＹとコンテンツ提供者情報ＰＲＯＶＩＤＥＲをユーザインタフェースＳＴＢ−ＵＩに送信する（ステップＳ３０６、ステップＳ３０７）。そして利用者がユーザインタフェースＳＴＢ−ＵＩに対して当該利用料金の支払いに同意する旨の入力操作を行うと、確認信号ＡｃｋがＣＡＳカード１８へ送信される（ステップＳ３０８）。
【００５３】
次いで、ＣＡＳカード１８は、Ｙ‖ＭＡＣ（ＡＬＬ，Ｋｗｔ）を携帯端末１５へ送信する（ステップＳ３０９）。
【００５４】
携帯端末１５は、上記データを受信して利用料金データＹを取得し、格納しているプリペイドチケットの残高データＺ０を確認する。そして、残高が利用料金より多ければ（Ｚ０＞Ｙ）、そのプリペイドチケットを一時ワーク鍵Ｋｗｔで暗号化しＭＡＣを付したデータ、ｓＥＮＣ（ｒｃ０‖Ｔ０‖Ｚ０‖Ｓ０‖ＳＩＧＬ（Ｓ０）‖ＭＡＣ（ｒｃ０‖Ｔ０‖Ｚ０‖Ｓ０‖ＳＩＧＬ（Ｓ０），Ｋｍ），Ｋｗｔ）‖ＭＡＣ（ＡＬＬ，Ｋｗｔ）をＣＡＳカード１８へ送信する（ステップＳ３１０）。残高が足りない場合には、使用するプリペイドチケットの枚数を判定して、複数のプリペイドチケットを連接した上でその連接データを一時ワーク鍵Ｋｗｔで暗号化し、ＭＡＣを付してＣＡＳカード１８へ送信する。
【００５５】
ＣＡＳカード１８は、携帯端末１５からのデータを受信して、ＭＡＣおよび署名ＳＩＧＬ（Ｓ０）の検証を行う。そして問題がなければ、ＣＡＳカード１８は、利用料金データＹに従ってコンテンツの利用に対する課金処理を行って、支払い後の残額に相当するプリペイドチケットを生成する。このとき、ＣＡＳカード１８は、支払い後の残高データＺ１＝Ｚ０−Ｙを計算し、利用履歴カウンタをＴ１＝Ｔ０＋１に設定し、乱数ｒｃ１を生成する。そして、ｒｃ１‖Ｔ１‖Ｚ１‖Ｓ０‖ＳＩＧＬ（Ｓ０）‖ＭＡＣ（ｒｃ１‖Ｔ１‖Ｚ１‖Ｓ０‖ＳＩＧＬ（Ｓ０），Ｋｍ）を支払い後の残額に相当するプリペイドチケットとして、このプリペイドチケットを一時ワーク鍵Ｋｗｔで暗号化するとともにＭＡＣを付して携帯端末１５に送信する（ステップＳ３１１）。
【００５６】
携帯端末１５は、上記のプリペイドチケットを格納（ステップＳ３１２）して、次回以降の支払いに使用する。
ＣＡＳカード１８は、ＣＡＳカード１８内のデータベースＣＡＳ−ＤＢに、サービス提供者１９毎の利用料金の支払い合計金額Σ（ｐｒｏｖｉｄｅｒ）Ｙと、１支払い毎のシリアル情報Ｓ０と利用履歴カウンタＴｎ（但しｎ＝０，１，２，…）の組（Ｓ０，Ｔｎ）と、を保存する（ステップＳ３１３）。保存対象となるデータは、ＣＡＳ管理機関１１が前回プリペイドチケットを回収（回収については図５参照）してから、次にプリペイドチケットを回収するまでの間に支払いが行われたプリペイドチケットに対応するものである。この保存された支払い合計金額Σ（ｐｒｏｖｉｄｅｒ）Ｙは各サービス提供者１９へコンテンツ利用料金を分配するために使用され、組（Ｓ０，Ｔｎ）はプリペイドチケットが正当に使用されているか否かを検証するために使用される（次に説明する）。
【００５７】
次に、プリペイドチケットの回収処理について説明する。
図５は、ＣＡＳ管理機関１１が外出先のＣＡＳカード１８からプリペイドチケットを回収する処理を示したシーケンス図である。ここで、ＣＡＳ管理機関１１は、過去に回収したプリペイドチケットの情報であるシリアル情報履歴を有している。このシリアル情報履歴は、以下で説明するステップＳ４０３で既に受信した、シリアル情報のそれぞれに対する利用履歴カウンタを全て記録した履歴であり、ここではシリアル情報Ｓ０に対して、利用履歴カウンタＴ０，Ｔ１，…，Ｔｎ−１が記録されているものとする。
【００５８】
ＣＡＳ管理機関１１は、所定の時刻（決められた定期的な時刻でもよいし、任意の時刻でもよい）においてＣＡＳカード１８に対してプリペイドチケットの回収要求を送信する（ステップＳ４０１）。この回収要求はポーリング方式で行われ、複数のＣＡＳカード１８へ順に回収要求が送信され、これを受信したＣＡＳカード１８が順に以下の処理を実行する。
【００５９】
ＣＡＳカード１８は、回収要求を受信すると、前回のプリペイドチケット回収処理実施以降にデータベースＣＡＳ−ＤＢに格納されている、サービス提供者１９毎の利用料金の支払い合計金額Σ（ｐｒｏｖｉｄｅｒ）Ｙと、１支払い毎のシリアル情報Ｓ０と利用履歴カウンタＴｎの組（Ｓ０，Ｔｎ）と、の全てのデータを連接し、これらをマスター鍵Ｋｍにより暗号化してｓＥＮＣ（（Ｓ０，Ｔｎ１）‖（Ｓ１，Ｔｎ２）‖…‖Σ（ｐｒｏｖｉｄｅｒ１）Ｙ‖Σ（ｐｒｏｖｉｄｅｒ２）Ｙ‖…，Ｋｍ）‖ＭＡＣ（ＡＬＬ，Ｋｍ）をＣＡＳ管理機関１１へ送信する（ステップＳ４０２）。
【００６０】
ＣＡＳ管理機関１１は、上記ステップＳ４０２で受信したシリアル情報Ｓ０と利用履歴カウンタＴｎの組（Ｓ０，Ｔｎ）について、この利用履歴カウンタＴｎとシリアル情報履歴内の最新の利用履歴カウンタＴｎ−１とを比較する。ここでは、Ｔｎ＞Ｔｎ−１であるのでプリペイドチケットは正当に使用されたことが確認される。この場合、ＣＡＳ管理機関１１は、ステップＳ４０２で受信したΣ（ｐｒｏｖｉｄｅｒ）Ｙを集計するとともに、確認信号ＡｃｋをＣＡＳカード１８へ送信する（ステップＳ４０３）。こうして複数のＣＡＳカード１８から集計したサービス提供者１９毎のコンテンツ利用料金は、ＣＡＳ管理機関１１によってサービス提供者１９へ分配される。また、仮に、ステップＳ４０２で受信した利用履歴カウンタがＴｎ−１であったとすると、同じ利用履歴カウンタを持つプリペイドチケットが２回使用されたことになるので、２回目の使用は不正使用であることが検出できる。
【００６１】
以上説明したように、本実施形態によれば、プリペイドチケットの発行と外出先でのサービス利用に対する課金とを確実に行うことができる。
また、プリペイドチケットはマスター鍵Ｋｍを知る者のみが作成可能な情報であるＭＡＣを含んでいるため、ＣＡＳ管理機関またはＣＡＳカードが関与しない限り、プリペイドチケットを生成することはできず、残高データの改竄を検出することができる。
【００６２】
また、プリペイドチケットを作成するために必要なシリアル情報は暗号化またはブラインド化されて通信されるので、これらを盗聴したとしても第三者がプリペイドチケットを作成することは不可能である。
【００６３】
また、使用されたプリペイドチケットのシリアル情報Ｓ０と利用履歴カウンタＴｎがＣＡＳ管理機関にシリアル情報履歴として記録されているので、同じシリアル情報Ｓ０と利用履歴カウンタＴｎを持つプリペイドチケットを複製しても、２回目の不正使用を検出することができる。
【００６４】
また、プリペイドチケットを発行する際、シリアル情報Ｓ０はブラインド化されてＣＡＳ管理機関へ送られるため、ＣＡＳ管理機関は回収されたプリペイドチケットの使用履歴から利用者の情報を特定することができず、匿名性が保たれる。
【００６５】
また、外出先のＣＡＳカードにおいて残高データを計算しているので、その残高に対応した新たなプリペイドチケットを生成でき、１つのプリペイドチケットを分割して利用することができる。
【００６６】
また、プリペイドチケット内の残高データにはＣＡＳ管理機関の署名を行わず、またプリペイドチケットの回収時にシリアル情報と利用履歴カウンタを検証するようにしたので、プリペイドチケットを利用する際にはＣＡＳ管理機関と通信を行う必要がなく、オフライン性が満足される。
また、プリペイドチケットを利用の際ではなく後でまとめて回収できるので、ＣＡＳ管理機関における通信負荷・処理負荷を軽減することが可能である。さらに、一定期間内にサービス提供者毎に利用料金を集計することで、個々の利用者が利用したサービス（コンテンツ視聴など）を特定することが不可能となるので、利用者の利用履歴の匿名性を確保することができる。
【００６７】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、ＣＡＳカードに代えて、受信機に内蔵（実装）されたＩＣチップを用いることもできる。
また、ＣＡＳ管理機関のプリペイドチケット発行管理機能の一部を備えたプリペイド販売店１６に設置するプリペイドチケット発行端末１６ａにより、自宅のＣＡＳカードが認証可能な携帯端末に対してプリペイドチケットを発行することもできる。
【図面の簡単な説明】
【００６８】
【図１】本発明の一実施形態によるサービス配信システムの構成図である。
【図２】自宅のＣＡＳカードへ携帯端末を登録する処理を説明したシーケンス図である。
【図３】プリペイドチケットの発行処理を示すシーケンス図である。
【図４】プリペイドチケットの利用処理を示すシーケンス図である。
【図５】プリペイドチケットの回収処理を示すシーケンス図である。
【符号の説明】
【００６９】
１１…ＣＡＳ管理機関  １１ａ…プリペイドチケット発行管理機能  １１ｂ…プリペイドチケット利用回収管理機能  １１ｃ…利用料金分配機能  １２…ＣＡＳカード（自宅）  １４…受信機（自宅）  １５…携帯端末  １６…プリペイド販売店  １６ａ…プリペイドチケット発行端末  １７…受信機（外出先）  １８…ＣＡＳカード（外出先）  １９…サービス提供者
【図１】
2008176736.tif 000003
【図２】
2008176736.tif 000004
【図３】
2008176736.tif 000005
【図４】
2008176736.tif 000006
【図５】
2008176736.tif 000007